【事件の表示】
　特願２００７−１７１０６２「液晶表示装置」拒絶査定不服審判事件〔平成２０年　１月１７日出願公開、特開２００８−　　９４３６〕について、次のとおり審決する。
【結　論】
　本件審判の請求は、成り立たない。
【理　由】
１　手続の経緯・本願発明
　本願は、平成１９年６月２８日（パリ条約による優先権主張２００６年６月２９日、大韓民国）の出願であって、平成２２年９月３０日付けで手続補正がなされ、同年１１月２日付けで拒絶査定がなされ、これに対し、平成２３年２月１７日に拒絶査定不服審判請求がなされ、これと同時に手続補正がなされたものである。
　
　そして、本願の請求項に係る発明は、平成２３年２月１７日付け手続補正による補正後の明細書、特許請求の範囲及び図面の記載からみて、特許請求の範囲の請求項１に記載された次の事項によって特定されるものと認められる。
　
「基板と、
　前記基板の一面にマトリクス状に形成されて複数のセル領域を区画するブラックマトリクスと、
　前記セル領域に形成される第１厚さの赤色カラーフィルター、前記第１厚さより厚い第２厚さの緑色カラーフィルター及び第２厚さより厚い第３厚さの青色カラーフィルターを含むカラーフィルター層と、
　前記カラーフィルター及びブラックマトリクス上に重合性液晶をコーティングして硬化させることによって、前記基板を平坦化させる第１補償層と、
　前記基板の他面に形成される第２補償層と、
　前記第２補償層上に形成された上部偏光板と
　を含み、
　前記赤色カラーフィルター及び前記緑色カラーフィルターの間の段差は、０．１μｍ以上、０．３μｍ以下であり、前記緑色カラーフィルター及び前記青色カラーフィルターの間の段差は、０．２μｍ以上、０．４μｍ以下であり、
　前記第１補償層を透過する赤色波長の光の位相遅延値をΓＲ、前記第１補償層を透過する緑色波長の光の位相遅延値をΓＧ、前記第１補償層を透過する青色波長の光の位相遅延値をΓＢとするとき、ΓＲ、ΓＧ及びをΓＢは、下式を満たし、
　　【数１】
　ここで、ｄ４は前記赤色カラーフィルターに覆われた前記第１補償層の厚さ、ｄ５は前記緑色カラーフィルターに覆われた前記第１補償層の厚さ、ｄ６は前記青色カラーフィルターに覆われた前記第１補償層の厚さをそれぞれ意味し、
　前記ｄ４は１．６０μｍ以上１．７０μｍ以下、
　前記ｄ５は１．３５μｍ以上１．４５μｍ以下、
　前記ｄ６は１．１０μｍ以上１．２０μｍ以下であり、
　前記第１補償層は、ポジティブＣ−プレートを含み、
　前記第２補償層は、Ａ−プレートあるいは二軸延伸フィルムのうち、いずれか１つからなる
ことを特徴とする液晶表示装置。」（以下「本願発明」という。）
　
　
２　引用刊行物の記載事項
　原審における拒絶の理由に引用された、本願の優先日前に頒布された刊行物である特開２００６−７８６４７号公報（以下「引用刊行物」という。）には、図とともに下記の事項が記載されている。
　
（１）「【特許請求の範囲】
・・・
【請求項５】
　吸収軸が互いに直交する第１偏光板および第２偏光板と、前記第１偏光板および第２偏光板の間に、基材、前記基材上に形成され、色に応じて厚みの異なる光透過性パターンが複数配列して構成された着色層、および前記着色層上に形成され、液晶性高分子からなり、かつ光軸が前記基材平面に対して垂直であるＣプレートとして作用する第１位相差層を有するカラーフィルタと、光軸が前記基材平面に対して平行であり正の屈折率異方性をもつ正のＡプレートとして作用する第２位相差層と、液晶層とを有する液晶表示素子であって、
　前記第１偏光板、前記第２位相差層、前記第１位相差層および前記第２偏光板の順に形成され、前記第２位相差層の光軸と前記第１偏光板の吸収軸とが略垂直に配置されており、前記第２位相差層の可視光領域での屈折率異方性が、波長が短くなる程小さくなることを特徴とする液晶表示素子。
【請求項６】
　前記液晶層が、前記カラーフィルタと前記第２偏光板との間に形成され、前記第２位相差層が、前記カラーフィルタの基材の着色層が形成されている面とは反対側の面、あるいは前記カラーフィルタの基材と着色層との間に形成されていることを特徴とする請求項５に記載の液晶表示素子。
・・・
【請求項８】
　前記着色層の厚みと前記第１位相差層の厚みとの合計が一定であり、前記第１位相差層の厚みが前記光透過性パターンの厚みに応じて異なることを特徴とする請求項５から請求項７までのいずれかの請求項に記載の液晶表示素子。
・・・
【請求項１０】
　前記着色層が、赤色、緑色および青色の三色の前記光透過性パターンから構成されており、前記三色の光透過性パターンの厚みが、青色＞緑色＞赤色の順であることを特徴とする請求項５から請求項８までのいずれかの請求項に記載の液晶表示素子。」
　
（２）「【０００１】
  本発明は、視野角向上のための位相差層を有し、カラー表示の液晶表示素子に適した位相差層付カラーフィルタ、および液晶表示素子に関するものである。」
　
（３）「【０００５】
　・・・水平配向モードの液晶表示装置においては、光軸が基板に垂直で正の複屈折異方性を有する位相差層（正のＣプレート）と、光軸が基板に平行で正の複屈折異方性を有する位相差層（正のＡプレート）とを用いることにより、光学補償が可能である。水平配向モードの液晶表示装置の光学補償は、クロスニコル状態の偏光板の光学補償そのものであるため、この手法はクロスニコル状態の偏光板を利用する液晶表示装置に広く適用が可能である。
・・・
【０００７】
　・・・ある観察角度において、可視光領域全域に渡って光学補償を行う場合、各波長によって位相差層に要求される位相差量が異なるといった問題点がある。位相差層を用いた光学補償では、位相差量の波長依存性は位相差層を構成する材料の特性で決定されるため、通常は視感度の最も高い緑色で光学設計を行う場合が多い。この場合、赤色および青色については正確な光学補償ができないため、黒表示状態で視野角が大きくなると、赤色および青色の光漏れが顕著になり、赤紫色等に観察されてしまうという問題点がある。
・・・
【００１０】
　本発明は、上記問題点に鑑みてなされたものであり、液晶材料を用いたＣプレートである位相差層とＡプレートである位相差層とを用い、かつ、黒表示状態で視野角が増大した場合でも光漏れの発生を抑制することが可能な位相差層付カラーフィルタおよび液晶表示素子を提供することを主目的とする。」
　
（４）「【００１１】
　本発明者は、上記実情に鑑み鋭意検討した結果、着色層の赤色、緑色および青色の光透過性パターンの厚みをそれぞれ変化させ、この厚みの異なる各色の光透過性パターン上に液晶材料を用いた位相差層を形成することにより、各色で最適な位相差量が実現できることを見出した。さらには、この液晶材料を用いた位相差層と逆分散特性を有する位相差層とを組合せることにより、黒表示状態で視野角が増大した場合でも、紫色等の光漏れの発生を防止することができることを見出し、本発明を完成させた。」
　
（５）「【００１７】
　本発明によれば、・・・着色層の各色光透過性パターンの厚みが色に応じて異なることにより、着色層上に形成された第１位相差層に、最適な位相差を付与することができる。また、第２位相差層がいわゆる逆分散特性を有することにより、第２位相差層にも最適な位相差を付与することができる。これにより、液晶表示素子を斜めから観察した場合であっても、光漏れの発生を防止することが可能である。」
　
（６）「【００２３】
　Ａ．位相差層付カラーフィルタ
　まず、本発明の位相差層付カラーフィルタについて説明する。本発明の位相差層付カラーフィルタは、基材と、上記基材上に形成され、色に応じて厚みの異なる光透過性パターンが複数配列して構成された着色層と、上記着色層上に形成され、液晶性高分子からなり、かつ光軸が上記基材平面に対して垂直であるＣプレートとして作用する第１位相差層と、上記基材の上記着色層が形成されている面とは反対側の面、あるいは上記基材および上記着色層の間に形成され、光軸が上記基材平面に対して平行であり正の屈折率異方性をもつ正のＡプレートとして作用する第２位相差層とを有する位相差層付カラーフィルタであって、上記第２位相差層の可視光領域での屈折率異方性が、波長が短くなる程小さくなることを特徴とするものである。
【００２４】
・・・
　図１は、本発明の位相差層付カラーフィルタの一例を示す概略断面図である。図１に示すように、本発明の位相差層付カラーフィルタ１０は、基材１上の画素部に相当する位置に、赤色光透過性パターン２Ｒ、緑色光透過性パターン２Ｇ、および青色光透過性パターン２Ｂの三色の光透過性パターンが配列して構成された着色層２が形成されており、この着色層２上に、液晶性高分子からなりＣプレートとして作用する第１位相差層３が形成され、さらに基材１の着色層２が形成されている面とは反対側の面に、正のＡプレートとして作用する第２位相差層４が形成されたものである。また、基材１上の非画素部に相当する位置にはブラックマトリックス５が形成されている。
・・・
【００３９】
　１．第１位相差層
　・・・本発明に用いられる第１位相差層は、着色層上に形成され、液晶性高分子からなり、かつ光軸が上記基材平面に対して垂直であるＣプレートとして作用するものである。この第１位相差層は、後述する着色層の直上に形成されているものであり、着色層を構成する各色の光透過性パターンの厚みに応じて、厚みを変化させることができる。
【００４０】
　本発明における第１位相差層は、光軸が基材平面に対して垂直であるＣプレートとして作用するものであるが、Ｃプレートには、正の屈折率異方性を有する正のＣプレートと、負の屈折率異方性を有する負のＣプレートとがある。
・・・
【００４３】
　・・・第１位相差層が正のＣプレートである場合、本発明においては正のＣプレート（第１位相差層）および正のＡプレート（第２位相差層）の組み合わせとなる。このような位相差層付カラーフィルタを例えば図５に示す液晶表示素子に用いた場合、光学補償に必要とされる位相差量を、下記表２に示す。・・・
【００４４】
【表２】
【００４５】
　表２に示すように、正のＣプレート（第１位相差層）についての位相差量は、赤色＞緑色＞青色となることから、要求される厚みは、表２および図６に示すように、赤色光透過性パターン上＞緑色光透過性パターン上＞青色光透過性パターン上となる。よって、第１位相差層が正のＣプレートである場合は、着色層の各色光透過性パターンの厚みを、青色＞緑色＞赤色とする。これにより、正のＣプレート（第１位相差層）に最適な位相差を付与することができる。
【００４６】
　また、正のＣプレート（第１位相差層）および正のＡプレート（第２位相差層）の組み合わせとなる位相差層付カラーフィルタは、例えばＩＰＳ（In Plane Switching）モードの液晶表示素子に好適に用いることができる。
【００４７】
　また、本発明における第１位相差層は、液晶性高分子からなるものである。
　ここで、液晶性高分子とは、液晶状態が室温において固定化されたものを意味し、例えば、分子構造中に重合性基を有する液晶性モノマーを架橋させて、架橋前の光学的異方性を保持したまま硬化させたもの、もしくはガラス転移温度を有し、このガラス転移温度以上に加熱すると液晶相を示し、その後、ガラス転移温度以下に冷却することにより、液晶組織を凍結することができる高分子型液晶を意味する。
【００４８】
　本発明に用いられる液晶性高分子としては、光軸が基材平面に対して垂直であるＣプレートとして作用する第１位相差層が形成可能なものであれば特に限定されないが、具体的には、重合性の液晶性モノマーに光重合開始剤および重合性のカイラル剤を配合した光重合性液晶組成物を用いることができる。このような光重合性液晶組成物としては、例えば特開平７−２５８６３８号公報や特表平１０−５０８８８２号公報に開示されているような、重合性の液晶性モノマーとカイラル剤とを有する光重合性液晶組成物が挙げられる。」
　
（７）「【００８７】
　Ｂ．液晶表示素子
　次に、本発明の液晶表示素子について説明する。
・・・
【００９４】
　本発明の液晶表示素子は、例えば図２および図５に示すように、第１偏光板８ａおよび第２偏光板８ｂ間に、カラーフィルタ２０、第２位相差層４および液晶層７が形成され、かつ、第１偏光板８ａ、第２位相差層４、第１位相差層３および第２偏光板８ｂの順に形成されていれば、その構成としては特に限定されるものではないが、多くの場合において、第１位相差層が、正の屈折率異方性をもつ正のＣプレートとして作用するか、あるいは負の屈折率異方性をもつ負のＣプレートとして作用するかにより２つの実施態様に分けることができる。以下、第１位相差層が負のＣプレートとして作用する場合（第１実施態様）、および第１位相差層が正のＣプレートとして作用する場合（第２実施態様）に分けて説明する。
・・・
【０１２６】
　２．第２実施態様
　本発明においては、第１位相差層が正のＣプレートとして作用する場合は、第１位相差層（正のＣプレート）と第２位相差層（正のＡプレート）とを組み合わせた液晶表示素子となり、これにより視野角を改善することができ、最適な位相差量を得ることができる。このような本実施態様の液晶表示素子は、ＩＰＳ（In Plane Switching）モードの液晶表示素子として好適であり、また、２枚の偏光板をクロスニコル状態で配置する液晶表示素子に、汎用的に適用することができる。
【０１２７】
  本実施態様の液晶表示素子がＩＰＳモードである場合、液晶層を構成する液晶がもつ屈折率異方性は、光学補償に必要とされる位相差量に影響を及ぼさないので、目的とする位相差量を得るために液晶層の位相差量を考慮する必要はない。よって、第１位相差層が正のＣプレートとして作用する場合は、第１位相差層（正のＣプレート）と第２位相差層（正のＡプレート）との位相差量のみを考慮して、最適な位相差量となるように光学設計すればよいのである。
【０１２８】
  本実施態様の液晶表示素子は、液晶層が、カラーフィルタと第２偏光板との間に形成され、第２位相差層が、カラーフィルタの基材の着色層が形成されている面とは反対側の面、あるいはカラーフィルタの基材と着色層との間に形成されているものである。本実施態様の液晶表示素子においては、例えば図５に示すように、第２位相差層４が、カラーフィルタ２０の基材１ａ上に形成され、液晶層７が、カラーフィルタ２０と第２偏光板８ｂとの間に形成されており、第１偏光板８ａ、第２位相差層４、基材１ａと着色層２と第１位
相差層３とを有するカラーフィルタ２０、液晶層７、対向基材１ｂおよび第２偏光板８ａの順に積層されているものである。なお、図５は、各層の相対的な位置関係を示すものであって、各層が図示のように離れているものではない。
・・・
【０１３０】
　（ｉ）カラーフィルタ
　本実施態様に用いられるカラーフィルタは、基材と、この基材上に形成され、色に応じて厚みの異なる光透過性パターンが複数配列して構成された着色層と、上記着色層上に形成され、液晶性高分子からなり、かつ光軸が上記基材平面に対して垂直であるＣプレートとして作用する第１位相差層とを有するものである。また、カラーフィルタは、第１偏光板と液晶層との間に形成されるものである。
【０１３１】
　なお、カラーフィルタの基材、着色層および第１位相差層については、上述した「Ａ．位相差層付カラーフィルタ」の項に記載した基材、着色層および第１位相差層と同様であるの・・・。」
　
（８）上記（６）（【００４３】及び【００４５】）から、着色層の各色光透過性パターンの厚みを、青色＞緑色＞赤色とするのは、「第１位相差層」が「正のＣプレート」である場合であるといえる。
　
（９）上記（７）（【０１３１】）及び（６）（【００２４】、【００４５】）を踏まえて図６をみると、カラーフィルタの基材１上の赤色、緑色および青色の三色の各光透過性パターン（２Ｒ、２Ｇ、２Ｂ）の間の非画素部に相当する位置には、ブラックマトリックス５が形成されている、といえる。
　
　よって、これらの記載を総合すると、引用刊行物には、次の発明（以下「引用発明」という。）が記載されていると認められる。
　
「吸収軸が互いに直交する第１偏光板および第２偏光板と、前記第１偏光板および第２偏光板の間に、基材、前記基材上に形成され、色に応じて厚みの異なる光透過性パターンが複数配列して構成された着色層、および前記着色層上に形成され、液晶性高分子からなり、かつ光軸が前記基材平面に対して垂直であるＣプレートとして作用する第１位相差層を有するカラーフィルタと、光軸が前記基材平面に対して平行であり正の屈折率異方性をもつ正のＡプレートとして作用する第２位相差層と、液晶層とを有する液晶表示素子であって、
　前記第１偏光板、前記第２位相差層、前記第１位相差層および前記第２偏光板の順に形成され、前記第２位相差層の光軸と前記第１偏光板の吸収軸とが略垂直に配置されており、前記第２位相差層の可視光領域での屈折率異方性が、波長が短くなる程小さくなっており、　前記液晶層が、前記カラーフィルタと前記第２偏光板との間に形成され、前記第２位相差層が、前記カラーフィルタの基材の着色層が形成されている面とは反対側の面に形成されており、
　前記着色層の厚みと前記第１位相差層の厚みとの合計が一定であり、前記第１位相差層の厚みが前記光透過性パターンの厚みに応じて異なり、
　前記着色層が、赤色、緑色および青色の三色の前記光透過性パターンから構成されており、前記三色の光透過性パターンの厚みが、青色＞緑色＞赤色の順であり、
　前記第１位相差層は正のＣプレートであり、
　前記第１位相差層の液晶性高分子としては、重合性の液晶性モノマーに光重合開始剤および重合性のカイラル剤を配合した光重合性液晶組成物を用いることができ、
　カラーフィルタの基材上の赤色、緑色および青色の三色の各光透過性パターンの間の非画素部に相当する位置には、ブラックマトリックスが形成されており、
　黒表示状態で視野角が増大した場合でも光漏れの発生を抑制することが可能な液晶表示素子。」
　
　
３　対比
　本願発明と引用発明を対比する。
（１）引用発明の「基材」及び「（基材上の・・・非画素部に相当する位置に形成された）ブラックマトリックス」は、それぞれ、本願発明の「基板」及び、「（前記基板の一面にマトリクス状に形成されて複数のセル領域を区画する）ブラックマトリクス」に相当する。
　
（２）引用発明の「着色層」は、「基材上に形成され、色に応じて厚みの異なる光透過性パターンが複数配列して構成され」、「赤色、緑色および青色の三色の前記光透過性パターンから構成されており、前記三色の光透過性パターンの厚みが、青色＞緑色＞赤色の順であ」るから、引用発明の「赤色の光透過性パターン」、「緑色の光透過性パターン」、「青色の光透過性パターン」及び「（赤色、緑色および青色の三色の前記光透過性パターンから構成される）着色層」は、それぞれ、本願発明の「（第１厚さの）赤色カラーフィルタ−」、「（前記第１厚さより厚い第２厚さの）緑色カラーフィルタ−」、「（第２厚さより厚い第３厚さの）青色カラーフィルタ−」及び「（前記セル領域に形成される第１厚さの赤色カラーフィルター、前記第１厚さより厚い第２厚さの緑色カラーフィルター及び第２厚さより厚い第３厚さの青色カラーフィルターを含む）カラーフィルター（層）」に相当する。
　
（３）引用発明の「（液晶性高分子からなる）第１位相差層」は、その厚みと「着色層」の厚みの合計が一定であり、その「液晶性高分子」としては「重合性の液晶性モノマーに光重合開始剤および重合性のカイラル剤を配合した光重合性液晶組成物を用いることができ」るものであるから、引用発明の「第１位相差層」は、本願発明の「（前記カラーフィルター及びブラックマトリクス上に重合性液晶をコーティングして硬化させることによって、前記基板を平坦化させる）第１補償層」に相当する。
　
（４）引用発明は、「前記第１偏光板、前記第２位相差層、前記第１位相差層および前記第２偏光板の順に形成され、・・・前記第２位相差層が、前記カラーフィルタの基材の着色層が形成されている面とは反対側の面に形成されて」いるから、引用発明の「第２位相差層」及び「第１偏光板」は、それぞれ、本願発明の「（前記基板の他面に形成される）第２補償層」及び「（前記第２補償層上に形成された）上部偏光板」に相当する。
　
（５）引用発明の「第１位相差層」は、「正のＣプレートであ」るから、引用発明は、本願発明の「前記第１補償層は、ポジティブＣ−プレートを含み」との事項を備える。
　
（６）引用発明の「第２位相差層」は、「正のＡプレートとして作用する」ものであるから、引用発明は、本願発明の「前記第２補償層は、Ａ−プレートあるいは二軸延伸フィルムのうち、いずれか１つからなる」との事項を備える。
　
（７）引用発明の「液晶表示素子」は、本願発明の「液晶表示装置」に相当する。
　
　よって、本願発明と引用発明とは、
「基板と、
　前記基板の一面にマトリクス状に形成されて複数のセル領域を区画するブラックマトリクスと、
　前記セル領域に形成される第１厚さの赤色カラーフィルター、前記第１厚さより厚い第２厚さの緑色カラーフィルター及び第２厚さより厚い第３厚さの青色カラーフィルターを含むカラーフィルター層と、
　前記カラーフィルター及びブラックマトリクス上に重合性液晶をコーティングして硬化させることによって、前記基板を平坦化させる第１補償層と、
　前記基板の他面に形成される第２補償層と、
　前記第２補償層上に形成された上部偏光板と
　を含み、
　前記第１補償層は、ポジティブＣ−プレートを含み、
　前記第２補償層は、Ａ−プレートあるいは二軸延伸フィルムのうち、いずれか１つからなる液晶表示装置。」
の点で一致し、以下の点で相違するものと認められる。  
 　  
　本願発明は、赤色カラーフィルター及び緑色カラーフィルターの間の段差が、０．１μｍ以上、０．３μｍ以下であり、緑色カラーフィルター及び青色カラーフィルターの間の段差が、０．２μｍ以上、０．４μｍ以下であり、第１補償層を透過する赤色波長の光の位相遅延値をΓＲ、前記第１補償層を透過する緑色波長の光の位相遅延値をΓＧ、前記第１補償層を透過する青色波長の光の位相遅延値をΓＢとするとき、ΓＲ、ΓＧ及びをΓＢは、下式を満たし、
　　【数１】
前記赤色カラーフィルターに覆われた前記第１補償層の厚さｄ４は１．６０μｍ以上１．７０μｍ以下、前記緑色カラーフィルターに覆われた前記第１補償層の厚さｄ５は１．３５μｍ以上１．４５μｍ以下、前記青色カラーフィルターに覆われた前記第１補償層の厚さｄ６は１．１０μｍ以上１．２０μｍ以下であるのに対し、引用発明は、赤色カラーフィルター及び緑色カラーフィルターの間の段差、緑色カラーフィルター及び青色カラーフィルターの間の段差の値、及び、赤色カラーフィルターに覆われた第１補償層の厚さ、緑色カラーフィルターに覆われた第１補償層の厚さ、青色カラーフィルターに覆われた第１補償層の厚さの値が特定されておらず、また、第１補償層を透過する赤色波長の光の位相遅延値ΓＲ、前記第１補償層を透過する緑色波長の光の位相遅延値ΓＧ、前記第１補償層を透過する青色波長の光の位相遅延値ΓＢが、それぞれ上記【数１】を満たすか否かが明らかでない点（以下「相違点」という。）。
　
　
４　判断
　上記相違点につき検討する。
　引用発明は、「・・・前記着色層の厚みと前記第１位相差層の厚みとの合計が一定であり、前記第１位相差層の厚みが前記光透過性パターンの厚みに応じて異なり、前記着色層が、赤色、緑色および青色の三色の前記光透過性パターンから構成されており、前記三色の光透過性パターンの厚みが、青色＞緑色＞赤色の順であり、・・・黒表示状態で視野角が増大した場合でも光漏れの発生を抑制することが可能な液晶表示素子」であるところ、引用発明において、「赤色の光透過性パターンの上に形成される第１位相差層」の厚さ、「緑色の光透過性パターンの上に形成される第１位相差層」の厚さ及び「青色の光透過性パターンの上に形成される第１位相差層」の厚さをどの程度とし、また、「赤色の光透過性パターン」及び「緑色の光透過性パターン」の間の段差、「緑色の光透過性パターン」及び「青色の光透過性パターン」の間の段差をどの程度とするかは、当業者が当該引用発明を実施する上で設計上適宜に定めるべき事項である。しかるところ、引用刊行物（上記２（４）参照。）には、「本発明者は、・・・着色層の赤色、緑色および青色の光透過性パターンの厚みをそれぞれ変化させ、この厚みの異なる各色の光透過性パターン上に液晶材料を用いた位相差層を形成することにより、各色で最適な位相差量が実現できることを見出した。さらには、この液晶材料を用いた位相差層と逆分散特性を有する位相差層とを組合せることにより、黒表示状態で視野角が増大した場合でも、紫色等の光漏れの発生を防止することができることを見出し・・・」と記載されていることを踏まえると、引用発明において、着色層の赤色、緑色および青色の光透過性パターンの厚みをそれぞれ変化させ、その結果、「赤色の光透過性パターン及び緑色の光透過性パターンの間の段差」を０．１μｍ以上０．３μｍ以下、「緑色の光透過性パターン及び青色の光透過性パターンの間の段差」を０．２μｍ以上０．４μｍ以下となし、また、「赤色の光透過性パターンの上に形成された第１位相差層」の厚さを１．６０μｍ以上１．７０μｍ以下、「緑色の光透過性パターンの上に形成された第１位相差層」の厚さを１．３５μｍ以上１．４５μｍ以下、「青色の光透過性パターンの上に形成された第１位相差層」の厚さを１．１０μｍ以上１．２０μｍ以下となすことが当業者において格別困難なことであるとはいえない。加えて、本願明細書の記載をみても、本願発明において、赤色カラーフィルター及び緑色カラーフィルターの間の段差を０．１μｍ以上０．３μｍ以下、緑色カラーフィルター及び青色カラーフィルターの間の段差を０．２μｍ以上０．４μｍ以下とし、赤色カラーフィルターに覆われた第１補償層の厚さｄ４を１．６０μｍ以上１．７０μｍ以下、緑色カラーフィルターに覆われた第１補償層の厚さｄ５を１．３５μｍ以上１．４５μｍ以下、青色カラーフィルターに覆われた第１補償層の厚さｄ６を１．１０μｍ以上１．２０μｍ以下とした点に設計的事項の域を超えるほどの格別の技術的意義があるものとは認められない。
　また、厚さｄ、複屈折率Δｎを有する位相差層が、波長λの光に対して、Γ＝２πΔｎｄ／λの位相遅れを生じること自体は本願の優先日時点で周知であるところ（例えば、特表２００５−５０４３５８号公報（【００４０】）、特表２０００−５０９５１９号公報（４２頁１〜５行）、特開平７−９４８１８号公報（【００２０】〜【００２２】）参照。）、引用刊行物には、赤色として６５０ｎｍ、緑色として５５０ｎｍ、青色として４５０ｎｍの波長光を用いることが記載されているから（上記２（６）【００４４】の【表２】参照。）、引用発明の「第１位相差層」を透過する赤色波長、緑色波長及び青色波長の光の位相遅延値を、それぞれ上記【数１】を満たすものとなすことは、当業者が適宜になし得ることである。
　
　また、本願発明の奏する効果が、引用発明及び上記周知技術から当業者が予測困難な程の格別顕著なものということはできない。
　
　したがって、本願発明は、引用刊行物に記載された発明及び周知技術に基いて当業者が容易に発明をすることができたものである。
　
　
５　むすび
　以上のとおり、本願発明は、引用刊行物に記載された発明及び周知技術に基いて当業者が容易に発明をすることができたものであるから、特許法第２９条第２項の規定により特許を受けることができない。
　
　よって、結論のとおり審決する。